(57)【要約】【目的】  自然石や木の根などを複製した内部が空洞で軽量、安価、耐久性のある異形の植物鉢を提供し、空洞部に植え込み土を詰めて植栽を植え込むことによって、専門的な知識と技術を要する石付盆栽などを一般の園芸愛好家でも製作が可能になり、情景に合った植栽を楽しむなど、従来にない自然と調和した選択肢が広い園芸を楽しむことができるようにすることを目的としている。【構成】  本発明の異形の植物鉢は、自然の造形物や人口の造形物をＦＲＰなどで内部を空洞に複製することで任意の個所に植込用切欠孔２を任意の大きさであけることができ、空洞部３に植込用混合土７を詰め込み、従来の鉢植え感覚で石付盆栽が楽しめるような構成になっている。【選択図】        図１
2005192435.tif 000002
【特許請求の範囲】
【請求項１】
自然石、樹木などの自然造形物や、人口造形物をシリコンゴムなどの柔軟な型用ゴムを用いて複製を成型するゴム型を製作し、このゴム型を用いてプラスチックなどの成型材料によって内部を空洞に成型し、任意の個所に成型品の内寸法より小さく、使用者が開口寸法の変更が可能な植え込み用の開口孔を設け、低部には水抜き用の寸法変更可能な小孔を設けた異形の植物鉢。
【請求項２】
植物鉢の内側で、植え込み開口孔の下方に植え込み用の配合土を詰め込む部分の容積を限定した隔離領域を設けてなる請求項１に記載の異形の植物鉢。
【請求項３】
ゴム型を用いてプラスチックなどの成型材料によって内部を空洞に成型した異形の植物鉢の表面を、水溶性セルロースエーテルなどの保水性材料を付着させ、コケ類が自生することができる表面に改質したことを特徴とする請求項１に記載の異形の植物鉢。
【発明の詳細な説明】
【産業上の利用分野】
【０００１】  本発明は、植木や草花などを植え込む鉢に関し、自然石や、樹木の幹、根などの自然造形物や、人口造形物をプラスチックなどによって複写成型し、従来の伝統的な鉢に対し、自然石などの造形物の姿をした内部が空洞の鉢や石付盆栽用の擬似石などを軽量安価で提供し、空洞部に植え込み用土を詰めて植栽を植え込むことによって専門知識がない園芸愛好者でも容易に石付盆栽や宿り木風の植栽などをつくることができる植物鉢に関するものである。
【背景技術】
【０００２】  従来の植木鉢は、製法で分類すると、陶器や磁器の焼物鉢、プラスチック成型鉢があり、形状は、丸形、楕円形、長方形、異形の鉢がある。異形の鉢には、鞍馬石などの平石で、平鉢とも呼ばれる平板状石鉢や、御影石を切削加工して作られる石鉢、セメント類で作られる無定形の鉢、自然木を加工した鉢があり、これらは、それぞれの用途と趣があり、使い分けられるが、製法や持ち運び、流通などの関係で大きさと重量が限られ、特別に製作される場合を除き、重機を用いなくても移動可能な寸法、重量の範囲に止まっている。【０００３】  一方、植木鉢の分類とは異なる石付盆栽と称する植栽がある。これは、揖斐川産の竜眼石などの自然石や軽石を削ったり、穴を穿って小木や野草を植え込み、深山の景観を醸し出す盆栽である。軽石は、削ったり穴をあけることが容易にでき、多孔質であるために水はけが良く、適度な保水力と吸水性があるため、植栽にとっては良好な生育環境である。一般には水盆に水を張って軽石の底部を水に浸して水を吸い上げるようにして管理されるので、植え込まれた草木の根付も良く、水分を多く含む軽石の熱容量が大きいため、蓄熱効果があって根の部分の温度変化が少ないため、幹や枝が地植えより太る傾向にあり、根張りが制限されることで高さや枝の成長は少なく、所謂、植栽が盆栽らしい姿に成長する。【０００４】  しかしながら、一般の園芸愛好家では竜眼石などの自然石や軽石の入手、加工が難しく、植え込みに於いても専門的な知識と経験が必要で、石付盆栽を作ることは容易ではない。軽石は容易に欠け易く、植え込みの穴を穿つ時の衝撃で割れてしまうなど、加工加減が難しい。植え込み穴が小さかったり、浅かったりすると、植栽の根を短く切るか曲げて植え込むことになって植栽が枯れてしまうなどの難しさがあり、一般の園芸愛好家では石付盆栽を作ることは困難である。まして、自然石を加工して植え込む石付盆栽は専門家でも難しい技術である。自然石は固く、容易に穴をあけることができず、通気性はもとより吸水性も保水性もないため、植栽にとっては悪環境となって枯れてしまうことが多い。【０００５】  このように、石付盆栽は専門家の扱う領域で、一般の園芸愛好家は、伝統的な鉢による選択肢の狭い園芸領域で活動しているのが現状である。現状の伝統的な形態の鉢類は、外観形状の魅力にも乏しく画一的である。従来の鉢は、上面が開口部で、底面には水抜き用の小孔があり、ごろ土や赤玉土、鹿沼土、砂、腐葉土などを用いて植物を植え込むようにできている。この構造は焼物鉢やプラスチック成型鉢、切削加工された石鉢などでも変わりなく、製法の都合もあって上面が大きく開口した構造、形状をしており、使用者は鉢の開口部を広げたり狭めたりすることはできないものである。【０００６】  従来の伝統的な鉢に於いても多様化を模索する傾向が見られ、外面に立体模様を設けるヨーロッパ調の鉢や、樽を切断した形状のプランターと称する鉢、炭をくり貫いた鉢、手ひねりの陶器鉢、木製のプランター、セメントで作られたプランターなどの特殊な鉢も販売されているが、いずれも伝統的な領域から抜け出ておらず、鉢の製造者によって決められた形状の人工的な色彩の強い鉢のままである。また、園芸家が植��に合わせて鉢の植え込み開口寸法の変更ができず、自然の状態で草木が生育している状態を表現しようとしても、鉢が人工的で選択の自由度と環境適合性に乏しいのが実態である。このように、従来の技術では園芸家の選択肢が狭く、人工的で画一的な植物鉢の提供に止まっていた。
【発明が解決しようとする課題】
【０００７】  発明が解決しようとする第一の課題は、植物鉢の選択肢の狭さを解決することである。すなわち、従来の人工的で押し着せの鉢に、自然石や切り株、木の根などの造形物の姿をした鉢を加え、植栽に合わせて開口位置や開口寸法の変更が可能で、自然に近い造形の鉢を提供することである。鉢といえば誰もが思い浮かぶ伝統的な形状、構造だけではなく、自然石の姿をした鉢や木の根の姿をした鉢、孟宗竹の姿をした鉢、大木の切り株姿の鉢など、従来にない異形の鉢を提供し、植え込み位置や寸法も自由に選択できるようにすることによって利用者の選択肢が増え、従来にはない鉢植えが可能になり、環境に似合う演出が可能になる。
【０００８】  発明が解決しようとする第二の課題は、専門的な知識や技術を必要とする石付盆栽などを一般の園芸愛好家でも手軽に作れるようにすることである。自然石でゴム型を作り、このゴム型を用いて二液混合硬化型プラスチックやガラス繊維強化プラスチックなどの成型材料で精密に複製した鉢は、微細な部分まで複写造形できるため、外観は石そのものである。この造形物は内部が空洞であるため、上面や側面に植え込み用の開口部を任意の位置に任意の寸法で設けることができる。空洞部にはごろ土や赤玉土、砂、鹿沼土、腐葉土を順次詰めながら従来の鉢植え感覚で植え込むことができるので、一般の園芸愛好者でも失敗の少ない石付盆栽を作ることができるようになる。
【０００９】  石付盆栽は、竜眼石や丹波石、鞍馬石などの天然石を削ったり、穴をあけて植え込み個所を作るが、いずれも硬く脆い石であるので加工には専用工具が必要である。また、植え込む個所に小孔を穿ち、針金を鉛玉で打ち込み固定し、根を保護しながらなじませるように縛って固定するなど、専門知識や経験がなければ製作が困難である。植え込みにあってもケト土と称する粘土質の腐葉土に赤土と水苔を配合して練り上げ、吸水・排水を考慮して塗りつけ、ここに樹や下草を植え込んで固定し、最後に表土の乾燥防止のために苔類を植え込んで作るといった専門知識や経験、技術が必要である。
【００１０】  このようにしてできた自然石の石付盆栽は、石自身の吸水、保水力が少なく、植え込み個所に付けるケト土などの量も限られ、植え込まれる草木にとっては過酷な環境で、樹勢が弱り易く、水やりを忘れると間単に枯れてしまう。また、成長に伴って根がはびこり、用土が不足してくるので補充する必要があるが、この補充方法も専門知識や経験が必要で、一般の園芸愛好家では、製作はもとより、これらの維持管理も困難である。
【００１１】  発明が解決しようとする第三の課題は、自然石に代表される自然造形物や、人口造形物の姿をした鉢、石付盆栽用の擬似石などを安価で提供することである。自然石を加工して植栽用鉢を作るのは容易ではなく、当然高価になる。また、石付盆栽用の石の加工も容易ではなく、重くて持ち運びが困難である上に高価である。一方、竹や切り株、木の根などを利用した植え込み用鉢は希少で高価あると共に短期で腐食するといった課題を有する。本発明の植物鉢は、唯一無二の自然石や加工困難な石付盆栽用の石、希少の切り株や木の根などを原形として型取りし、複製を作ることによって安価で軽量な植物鉢を提供することができる。
【００１２】  発明が解決しようとする第四の課題は、耐久性と強度の向上である。従来の陶器製の鉢は割れ易く、製法の理由で形状も大きさも限られている。また、陶器製の鉢は焼物であるため、大きくなれば良品の歩留まりが悪く、高価で重い。御影石などを削り込んで作られる石製の鉢も機械加工製法の都合で形状が限られ、衝撃に弱く重い。希少で高価な切り株、木の根などは、短期間で朽ちてしまい、安価なプラスチック成型の鉢は、金型による大量生産品であるので、外観形状に魅力がないばかりでなく、耐候性が悪く、数年で脆くなり、割れてしまう。いずれも耐久性や強度に課題があり、解決を要する課題である。
【００１３】  発明が解決しようとする第五の課題は、重量の低減である。従来の陶器製鉢は製法による制限もあるが、大きくなると重量も増え、持ち運びが困難になる。特に石に樹木を植え込む石付盆栽や、大木の切株、木の根などは、大きくなると重く移動できないため、設置した後に植え込む必要がある。たとえば、軽石を加工して作る石付盆栽用石であっても約４０ｃｍ角以上になると移動が困難であり、これが、竜眼石などの硬質な石であれば比重が数倍になるので、もはや移動は無理である。その上、大きな自然石は希少で高価であり、入手も困難でもある。
【００１４】  本発明による鉢は、材料が通称ＦＲＰと呼ばれるガラス繊維強化プラスチックなどで成型され、表面塗装を施しているため、表面にコケ類が自生し難い。これは、成型材料そのものに保水性がなく、汚れが付き難いことによるものである。従って、例えば石付盆栽などの石の表面が苔生した情景を得るには長期を要するのが欠点で、これが第六の課題である。この課題は、陶器鉢や自然石、軽石などでも同様で、早期に苔が自生する表面環境を作り込むことができる。
【課題を解決するための手段】
【００１５】  課題を解決する手段は、自然石などの造形物をシリコンゴムなどの柔軟なゴムによって型取りし、二液混合硬化樹脂やガラス繊維入り強化プラスチックなどの成型材料によって目的の造形物の複製を作り、これを鉢として使用できるようにする手段である。この製法は、複製したい造形物を液状の型用ゴムで包み込み、硬化させた後に硬化したゴムを開いて内部の造形物を取り出して作るため、表面の微細な凹凸や模様などを忠実にゴム型の内側に転写する。このようにしてできたゴム型に成型用プラスチックによって原形を複製し、製作するものである。
【００１６】  自然石などの造形物をモデルにして製作したゴム型であるため、複製品も原形の表面の微細な凹凸をも再現でき、アンダーカットと称する奥が広い窪みも無理抜きが可能であるため、原形の外観細部を忠実に再現し、自然のままの姿を再現することができる。また、内部が空洞の植え込みに適した複製造形物は、使用者が任意の位置に任意の寸法で孔をあけることができるため、植栽と鉢の調和や従来ではできなかった景観を演出することができるようになる。このようにして製作、供給される鉢によって、従来の鉢ように変更ができないお仕着せのものと異なり、園芸家の選択肢が増え、第一の課題を解決するものである。
【００１７】  石付盆栽用の石は、軽石や自然石を削り、穴を穿って製作するのであるが、加工が難しい上に一つ一つが手作りのため時間がかかり高価である。ゴム型によって目的の造形物を複製する課題解決手段によれば、中が空洞にできるため、内部に植え込み土を充填することができ、かつ、任意の個所に開口部を設けることができる。従って、専門知識や経験がなくても一般の鉢植え感覚で失敗の少ない石付盆栽や石鉢植栽を作ることができ、第二の課題を解決することができる。
【００１８】  シリコンゴムなどのゴム型によって目的の造形物を複製する手段によれば、高価な名石であってもこれをゴム材で忠実精巧に型取りし、このゴム型で原形の複製を作っておけばこれを原形にして何度でもゴム型を作ることができるため、名石を複製して作る異形の鉢を作り続けることができる。同様に、自然石の複製や石付盆栽用に加工した石、奇形の木の根、切り株などの複製を作っておけばこの複製の異形鉢も作り続けることができる。
【００１９】  ゴム型の寿命は、数十個〜百数十個程度で、原形の形状や複製成型材料によって変動する。形状が複雑であったり、成型材料の硬化反応温度が高い材料や型ゴム材を侵食する成型材量を使用すれば耐用数量が減り、簡単な形状で低温硬化材料を使用すれば数百個の成型も可能である。このように成型品一個あたりの型償却費も安価で、成型の自動化も可能になり、生産コストが大幅に下がり、安定供給が可能になる上に、使用材料も薄く内部が空洞であるため軽量で物流費も含めて安価な製品を提供することができ、第三の課題を解決することができる。
【００２０】  耐久性と強度の向上といった第四の課題は、自然石や大木の根、切り株など、重く割れ易いものや、短期間で腐食してしまうものをＦＲＰなどで複製することによって解決するものである。自然石を鉢に利用するとすれば、植え込み用の穴を穿つことが困難であるばかりでなく、根張り容積も少ない上に割れ易く重い。大木の切り株や根も重く腐食が早いが、これらをＦＲＰなどで精巧に複製すれば軽量で高強度で耐久性に優れた異形鉢を安価に供給することができる。
【００２１】  重く、移動が困難な課題を解決する手段としてもＦＲＰなどで複製して作る植え込み鉢の提供で解決する。たとえば、高さ１メートル程度の自然石は重機を用いなければ設置ができないが、これをＦＲＰなどで複製すれば軽量で簡単に持ち運びができる。この複製品に植え込み用の切り欠き孔を設け、内部に詰める植え込み土は大量になって重くなるので、植え込み開口孔の下部に容積を限定した隔離領域を設け、この隔離領域にのみ植え込み土を詰めることで植栽に十分な用土を確保した上に、軽量化を図ることができ、第五の課題を解決することができる。
【００２２】  ＦＲＰに代表されるプラスチック成型鉢は、成型時の離型剤やワックス、塗装などで複製品の表面にコケ類が自生し難い環境になっている。自然石の複製鉢や大木の切り株の複製鉢などを用いた植え込みは、鉢の表面にコケ類が自生することによって更に自然の情景と奥深さを醸し出すことができる。この第六の課題解決手段として、複製鉢の表面に保水力のある材料を塗布、コーティングすることで、コケ類が付着し易い環境を作り、この上に腐葉土や苔類を付着させるなどをすれば、短期間で鉢の表面に苔が自生するようになる。
【作用】
【００２３】  自然石や加工石、木の根などの造形物をゴム型で複製した内部が空洞の植物鉢は、軽量で強度があり、耐久性に優れた安価な鉢になる。これらの複製品は内部が空洞にできるため、内部に植え込み用の配合土を十分に詰め込むことができ、従来の鉢植えと同じ感覚で植栽を植え込むことができる。また、任意の個所に任意の寸法で開口が可能で、植栽に合った大きさの穴をあけることができる。従って、植え込み易く、根張りも良く、従来の石付植栽に比べて保水・保養性が格段に向上し、開口面積が少ないため、水分の蒸発も少なく、これらが作用して、維持、管理が難しい石付盆栽や大きな石、塀に樹木を植え込むなど、一般の園芸愛好家でも手軽に作ることができ、更に、鉢の表面を覆う保水材が作用して、短期間で鉢の表面にコケ類が自生させることができ、鉢の温度上昇を抑えるなど、従来の伝統的な鉢植えと違った選択肢の広い園芸を楽しむことができる。
【実施例】
【００２４】  以下、添付の図面１を対照して、本発明の実施例を具体的に説明する。図１の実施例は、自然石をシリコンゴムで型取りし、ゴム型を二分して両方のゴム型にガラス繊維入りポリエステル樹脂を貼り付けて硬化させ、取り出した後、向かい合わせに接着し、接着部の凹凸を仕上げて繋ぎ目を消し、耐候性の塗装処理をして製作した石付盆栽用擬似石１である。自然石の表面は粗く、型抜き方向の影の部分であるアンダーカット部分も多くあるが、ゴム型のため無理抜きができ、金属型などの硬質型では抜けない部分も忠実に再現できる。【００２５】
【図１】
【００２６】  実施例の複製品は、石付盆栽用の目的で製作したもので、内部は空洞である。石付盆栽用擬似石１の底部に約５ｍｍの水抜き用小孔４を数個あけ、上方には植込用切欠孔２をあける。底部には、ごろ土か軽石小片などを敷き、植え込み土が流出しないようにする。その上に赤玉土、赤土、桐生砂、鹿沼土を詰め、植栽を切り欠き孔から挿入し、腐葉土と鹿沼土などの混合土と共に植え込む。枝の向きや幹の傾きなどを調整した後、切り欠き孔を塞ぐように腐葉土を詰め、玉竜などの下草を植え、表土の乾きを防ぐためにコケ類を押し付けながら植え込む。これは、従来の鉢植え作業と変わりなく、石付盆栽の製法や技術、経験が不要である。
【００２７】  図２は、自然石の型取りによって製作された石付盆栽用擬似石１の複製用シリコンゴム上型５ａと複製用シリコンゴム下型５ｂである。この複製型の凹所６に不飽和ポリエステル樹脂を薄いガラス布に含浸させて貼り付けるか、ガラス繊維入り不飽和ポリエステル樹脂を吹き付けるなどによって希望の厚さに硬化させて成型する。成型品はゴム型を変形させながら取り出し、上下の成型品を向かい合わせて接着固定し、つなぎ目を仕上げて複製品ができる。植込用切欠孔２や水抜用小孔４は、完成後にあけても、上下の成型品の接着前であっても、成型時にあけておいても良い。外形ができたら耐候性の塗装して複製品が完成する。
【００２８】
【図２】
【００２９】  図３は、成型した石付盆栽用擬似石１に植込用混合土７を詰め込み、植込用切欠孔２から植栽を植え込み、鹿沼土と腐葉土の混合土で植込用切欠孔２を塞ぎ、玉竜などの下草を植え込み、表土の乾燥を防止用の苔で覆い、潅水して完成する。図３に示す石付盆栽は、比較的小型のものであるが、大型のものも同様にして作ることができる。大型のものは、内部に混合土を詰めると重くなって移動や据付が困難になるので、所定の場所に設置した後に混合土を詰め、植栽を植え込む必要があるが、植込用切欠孔２の下部で内部を仕切れば混合土の量も限定され、大型でも軽量で移動可能な石付盆栽ができ、大きな石に樹木、草花を植え込んでも容易に移動することができるといった従来にない園芸を楽しむことができる。
【００３０】
【図３】
【００３１】  複製する擬似石は、軽石を削って作った人口造形物をモデルにして複製しても良い。この場合、製作が難しい植え込み用の穴を設ける必要がなく、穴を掘るときの割れ易さから開放され、モデルの製作が容易である。製作にあたっては、植え込む植栽の配置と石の形状バランスと景観を考えて作ればよい。このようにして作られた複製品の任意の個所に、任意の大きさの孔をあけ、草木を植え込むことができる。鉢単体では軽石で作られたものに比べても大幅に軽量化され、大型のものでも混合土を入れる部分を限定し、分割隔離することができるので植栽の植え込み後でも大幅に軽量化ができる。
【００３２】  図４の鉢は、横型の自然石風横型鉢９で、これも自然石をシリコンゴム型で複製したものである。植込用切欠孔２は、植え込む植栽の状態によって変えることができ、根の大きさなどに合わせて切り欠き寸法を変えることができる。この鉢にも混合土を詰め、従来の鉢植えと同じ感覚で植え込むことができる。その外観は、長い年月をかけて自然石に植物が取り付いたような景観を醸し出し、従来にない高度な技術を要する鉢植えを一般の園芸愛好家でも創作することができる。このようにして創作された大小の自然石風鉢植えを、石組みのように積み上げ配置すれば、ロックガーデンや、坪庭などが簡単にできる。
【００３３】  図４
【００３４】  図５の鉢は、大木の切り株をガラス繊維強化不飽和ポリエステル樹脂で複製した切株状異形鉢１０である。このような大木は入手困難であり、高価でもある上に、原木は移動が困難なほど重く、石ほどではないが植込用穴１１をあけるのも容易ではない。穴をくり貫くと、木にひびが入り、防腐処理をしてもこのひびから腐食が進行し、短期間で朽ちてしまう。また、横方向に孔をあけるのは更に困難であることもあって、大木で作るこのような種類の植物鉢の例がない。これをプラスチック成型材料で複製すれば、図５の切株状異形鉢１０ような軽く、耐久性のある植物鉢が安価に提供できる。シリコンゴムによる型取りであるので、木の表面のささくれや年輪までも微細に成型できるため、外観は原木と見分けができないほどであるので、違和感のないより自然な演出ができる。
【００３５】
【図５】
【００３６】  図６は、大岩の複製鉢１２で、草花や樹木を植えることができるようにした例である。このように大きな自然岩は、重機がないと移動できないが、プラスチックによる複製品であれば軽量で移動が可能である。このような大岩に樹木を植える場合、内部に植え込み土を詰め込むと重くなって移動困難になるため、植え込み部の下部を仕切り、詰め込む土の量を限定するように隔離領域１３を構成すると、移動可能な植栽付大岩ができる。図６の仕切りは、筒状に構成し、底面に仕切蓋１４を後付けしたものであるが、仕切りは升目状にしても良く、個々の隔離領域１３の深さを変えて仕切蓋１４をしても良い。この場合、植込用切欠孔２は使用者が任意の位置にあけることができ、植込用切欠孔２が大きい時は隔離領域１３の仕切り壁を切り取れば比較的大きな花木を植え込むことができる。
【００３７】
【図６】
【００３８】  図７は、枕木の複製鉢１５である。枕木に型用シリコンゴムを被せ、硬化させた後にゴムを切り開いて複製型を作り、ＦＲＰで成型した例である。植込用切欠孔２は、成型後にあけたが、成型時にあけておいても良く、使用者が任意の寸法に切り欠き孔を広げることができる。本物の枕木は、栗の木などにクレオソートなどの薬剤で防腐処理して作られ、重く、硬い材質であるので、穴あけ加工は容易ではなく、図７のような枕木の複製鉢１５を製作するのは困難である。枕木の複製鉢１５は、内部が空洞であるので、植え込み土を十分に確保することができるので、従来の鉢植えと同じ感覚で園芸を楽しむことができる。
【００３９】
【図７】
【００４０】  ＦＲＰなどで複製された鉢の表面は、離型剤や塗装が障害となって保水性がなく、苔類が自生し難いため、表面に保水力のある材料を塗布した。使用材料は、水溶性セルロースエーテルで、水に溶けない天然のセルロースを原料として作られた水溶性の材料である。鉢の表面に水溶性セルロースエーテル液を塗布し、腐葉土を塗りつけた後に苔類を貼り付けると、腐葉土と苔が接着するように鉢の表面に貼り付き、苔のない個所も、やがて苔の胞子が表面に付着して短期間でコケ類が自生するようになる。
【００４１】  以上、本発明の実施例は、複製したい造形物をシリコンゴムで型取りし、通称ＦＲＰと呼ばれるガラス繊維強化不飽和ポリエステル樹脂によって複製したが、ウレタン樹脂によっても同様の成型が可能である。また、複製するものは、自然の造形物に限らず、人口の造形物でも良い。たとえば、ＦＲＰ製の門柱や、塀などを作り、この一部に植え込み可能な切り欠きを設け、門柱や塀と植栽の組み合わせもできるので、都会の無機質な塀が緑化塀になり、ヒートアイランド現象を軽減することや、美観などの環境改善の一助にもなる。
【００４２】  ＦＲＰなどで作られた異形の植物鉢は、任意の位置に植込用切欠孔２をあけ、植込用混合土７を充填して植物を植え込むが、植込用切欠孔２を中間部にあけ、頂点部にまで植込用混合土７が詰まらずに空洞になることがある。この場合、直射日光にあたって内部の温度が上昇し易く、これは植物にとって好ましくない条件になるため、頂点部に通気孔を設け、蒸気や熱を逃がすのが良い。また、鉢の表面に水溶性セルロースエーテル液を塗布し、苔を自生させると、鉢内部の温度上昇が抑えられ、美観の向上のみならず、保水、遮熱機能も同時に得られる。
【００４３】  更に植物鉢の温度上昇を抑える手段として、ＦＲＰなどで成型された異形の植物鉢の内面に発泡硬質ウレタンを吹き付け、断熱作用を高めることによって、直射日光に長時間晒されても、内部の温度上昇を抑えることができる。また、植物鉢を低発泡率で連続発泡の成型材料を用いると、鉢全面に小さな通気孔ができ、素焼きの陶器鉢と同様の通気作用によって、余分な水分を排出すると共に、植込み土の好気性菌の繁殖が活発になり、植物の根腐れなどを防ぐことができる。
【００４４】  実施例の植物鉢は、成型時のバリ、切り欠き片などの廃材が生じるが、これらを紛体〜１ｍｍ程度の小片に粉砕し、成型する際に樹脂液内に混合するなどでこれらの廃材を再利用することができ、その混合比率は重量比率で３０％以下が良い。３０％を超えることで機能、強度などの支障はないが、廃材片が表面に目立ち、細部の再現性に難があるため、３０％以下に抑えるのが良い。この混合可能リサイクル率は、成型時に生じる廃材はもとより、市場からの廃材を全て再利用することができ、従来の鉢類にはない高いリサイクル率が得られる。
【発明の効果】
【００４５】  以上のように、本発明による第一の効果は、自然石に代表される造形物を複製して作られる植物鉢であるため、植栽が自然石に取り付いたように仕上がり、従来のような人工的で画一的な選択肢の狭い鉢植えの世界が広がり、園芸家の選択肢を増やすことができる。また、自然石に限らず、いろいろな造形物の複製鉢を提供することができるので、情景に合った植栽を楽しむなど、従来にない自然と調和した園芸を楽しむことができる。
【００４６】  本発明による第二の効果は、複製植物鉢の中が空洞にできるため、内部に植え込み土を充填することができ、任意の個所に任意の大きさの開口部を設けることができるので、専門知識や経験がない一般の園芸愛好家でも、従来の鉢植え感覚で失敗の少ない石付盆栽や石鉢植栽を作ることができる。
【００４７】  本発明による第三の効果は、一つの型で多数の複製を生産することができるため、成型品一個あたりの型償却費も安価で、成型の自動化も可能になり、生産コストが大幅に下がり、安定供給が可能になる上に、使用材料も薄く内部が空洞であるため軽量で物流費も含めて安価な複製植物鉢を提供することができる。
【００４８】  本発明による第四の効果は、自然石や大木の根、切り株など、重く割れ易いものや、短期間で腐食してしまうものをＦＲＰなどで複製することによって軽量かつ高強度で耐久性に優れた複製植物鉢を安価に供給することができる。
【００４９】  本発明による第五の効果は、複製した鉢の植え込み開口孔の下部に容積を限定した隔離領域を設け、この隔離領域にのみ植え込み土を詰めることで、植栽の生育に必要、かつ十分な用土を確保することができる上に、大石や大木の根などの形をした大型の複製植物鉢も、移動が容易な重さに軽量化を図ることができる。
【００５０】  本発明による第六の効果は、複製植物鉢の表面に保水力のある材料を塗布することで、コケ類が付着し易い環境を作り、この上の一部に腐葉土や苔類を付着させるなどをすれば、コケ類が付着し難い環境でも短期間で鉢の表面全体に苔が自生するようになり、従来にはない自然の情景と奥深さを醸し出すことができ、合わせて鉢の温度上昇を抑える効果がある。
【００５１】  本発明による第七の効果は、高いリサイクル率が得られることである。従来の鉢類は、破損し易い割に再利用ができず、砕いて捨てるか、産業廃棄物か家庭ごみとして処分されるが、本発明の鉢は、粉砕した廃材を高率の混合比で再利用できるため、廃棄物を出さないリサイクルシステムが可能である。
【図面の簡単な説明】
【図１】  自然石を複製した石付盆栽用擬似石の部分断面構造図である。
【図２】  自然石から型取りした複製用シリコンゴム型の一例である。
【図３】  自然石を複製した異形鉢による石付盆栽例を示す外観図である。
【図４】  自然石を複作した横型の異形鉢の例を示す外観図である。
【図５】  大木の切り株を複製した切り株状の異形鉢である。
【図６】  大岩を複製し、植え込み用隔離領域を設けた異形鉢の例である。
【図７】  枕木を複製し、植込用切欠孔を設けた異形鉢の例である。
【符号の説明】
１  石付盆栽用擬似石
２  植込用切欠孔
３  空洞部
４  水抜用小孔
５ａ  複製用シリコンゴム上型
５ｂ  複製用シリコンゴム下型
６  複製型の凹所
７  植込用混合土
８  植栽
９  自然石風横型鉢
１０  切株状異形鉢
１１  植込用穴
１２  大岩の複製鉢
１３  隔離領域
１４  底蓋
１５  枕木の複製鉢
【図１】
2005192435.tif 000003
【図２】
2005192435.tif 000004
【図３】
2005192435.tif 000005
【図４】
2005192435.tif 000006
【図５】
2005192435.tif 000007
【図６】
2005192435.tif 000008
【図７】
2005192435.tif 000009